(57)【要約】【課題】商品の値引販売を簡単に行うことができる情報処理装置およびプログラムを提供する。【解決手段】商品陳列棚６に、商品７に対する値引額の表示をする表示装置３を設置する。管理サーバは、条件受付手段と、値引額算出手段と、報知手段と、を備える。条件受付手段は、商品の販売終了時刻に対する残時間または商品の残数に応じて商品を値引販売する場合に、値引販売に関する条件を受付ける。値引額算出手段は、条件受付手段が受付けた条件と、記憶手段が記憶する商品の残数と、記憶手段が記憶する、残時間および残数に対して過去に適用した値引額と、値引額を適用した場合における商品の販売実績との相関関係を記録した統計データとを用いて、残時間または残数における商品の値引額を算出する。報知手段は、値引額算出手段が算出した値引額を客に報知する。【選択図】図２
2011227839.tif 000002
【特許請求の範囲】
【請求項１】
商品の販売終了時刻に対する残時間または前記商品の残数に応じて前記商品を値引販売する場合に、前記値引販売に関する条件を受付ける条件受付手段と、
前記条件受付手段が受付けた前記条件と、記憶手段が記憶する前記商品の残数と、記憶手段が記憶する、前記残時間および前記残数に対して過去に適用した値引額と、前記値引額を適用した場合における前記商品の販売実績との相関関係を記録した統計データとを用いて、前記残時間または前記残数における前記商品の値引額を算出する値引額算出手段と、
前記値引額算出手段が算出した前記値引額を客に報知する報知手段と、
を備えたことを特徴とする情報処理装置。
【請求項２】
前記値引算出手段は、前記記憶手段が記憶する統計データから、前記販売終了時刻における前記商品の残数が最小となる値引額に関する統計データ、または、前記販売終了時刻における前記商品の売上利益が最大となる値引額に関する統計データを抽出し、抽出した統計データを用いて前記値引額を算出すること、
を特徴とする請求項１に記載の情報処理装置。
【請求項３】
前記報知手段は、前記値引額算出手段が算出した前記値引額の値引表示を前記商品に対して行う旨の指示を、店員に対して報知すること、
を特徴とする請求項１または２に記載の情報処理装置。
【請求項４】
前記値引算出手段は、当日売れ残った前記商品を翌日に販売する場合に、前記商品に対して予め定められた最大値引額を翌日販売時の前記値引額として適用すること、
を特徴とする請求項１ないし３のいずれか１つに記載の情報処理装置。
【請求項５】
前記値引算出手段が算出した前記値引額を、商品情報を格納する記憶手段に登録する値引額登録手段をさらに備えたこと、
を特徴とする請求項１ないし４のいずれか１つに記載の情報処理装置。
【請求項６】
コンピュータを、
商品の販売終了時刻に対する残時間または前記商品の残数に応じて前記商品を値引販売する場合に、前記値引販売に関する条件を受付ける条件受付手段と、
前記条件受付手段が受付けた前記条件と、記憶手段が記憶する前記商品の残数と、記憶手段が記憶する、前記残時間および前記残数に対して過去に適用した値引額と、前記値引額を適用した場合における前記商品の販売実績との相関関係を記録した統計データとを用いて、前記残時間または前記残数における前記商品の値引額を算出する値引額算出手段と、
前記値引額算出手段が算出した前記値引額を客に報知する報知手段と、
して機能させるためのプログラム。
【発明の詳細な説明】
【技術分野】
【０００１】
本発明の実施の形態は、情報処理装置およびプログラムに関する。
【背景技術】
【０００２】
スーパーマーケット等の店舗では、生鮮食品や惣菜等の商品の廃棄量を削減するために、これら加工品を当日中に売り切ることを目的とした見切り販売が行われる。見切り販売では、店舗の営業終了時間が近づくと、商品の売れ残りを削減するために値引販売が行われる。売れ残っている商品には、店員によって、値引額や割引率等を表示した値引ラベルが一枚一枚貼り付けられたり、売り場コーナーに「全品○割引」等と書いた値引表示が設置されたりする。
【０００３】
例えば、特許文献１には、値引ラベルを印刷するラベルプリンタに関する技術が開示されており、店員は、印刷した値引ラベルを商品に貼付して商品の値引販売を行う。
【発明の概要】
【発明が解決しようとする課題】
【０００４】
ところで、商品の値引額や割引率は、値引販売による利益損失が最小となるように、商品の残数や店舗の閉店時間前の残時間に応じて設定されることが望ましい。しかしながら、現状では、残時間や残数を考慮して店員の勘に頼って値引のタイミングや値引額を決めているため、売上利益と商品の廃棄数とが最適となるように値引額を設定することが難しいという問題がある。
【０００５】
また、従来は、閉店時刻が近づいて値引額を増加させる度に、店員によって新たな値引額の値引ラベルを貼りなおしたり、値引表示を修正したりする必要があり、手間がかかるという問題がある。
【課題を解決するための手段】
【０００６】
実施の形態の情報処理装置は、条件受付手段と、値引額算出手段と、報知手段とを備えている。条件受付手段は、商品の販売終了時刻に対する残時間または前記商品の残数に応じて前記商品を値引販売する場合に、前記値引販売に関する条件を受付ける。値引額算出手段は、前記条件受付手段が受付けた前記条件と、記憶手段が記憶する前記商品の残数と、記憶手段が記憶する、前記残時間および前記残数に対して過去に適用した値引額と、前記値引額を適用した場合における前記商品の販売実績との相関関係を記録した統計データとを用いて、前記残時間または前記残数における前記商品の値引額を算出する。報知手段は、前記値引額算出手段が算出した前記値引額を客に報知する。
【０００７】
また、実施の形態のプログラムは、コンピュータを、条件受付手段と、値引額算出手段と、報知手段として機能させる。条件受付手段は、商品の販売終了時刻に対する残時間または前記商品の残数に応じて前記商品を値引販売する場合に、前記値引販売に関する条件を受付ける。値引額算出手段は、前記条件受付手段が受付けた前記条件と、記憶手段が記憶する前記商品の残数と、記憶手段が記憶する、前記残時間および前記残数に対して過去に適用した値引額と、前記値引額を適用した場合における前記商品の販売実績との相関関係を記録した統計データとを用いて、前記残時間または前記残数における前記商品の値引額を算出する。報知手段は、前記値引額算出手段が算出した前記値引額を客に報知する。
【図面の簡単な説明】
【０００８】
【図１】図１は、第１の実施の形態にかかる値引表示システムの構成を示すブロック図である。
【図２】図２は、商品陳列棚に設置された表示装置の一例を示す図である。
【図３】図３は、値引率を表示した表示装置の一例を示す図である。
【図４】図４は、ＰＯＳ端末のハードウェア構成を示すブロック図である。
【図５】図５は、ＰＯＳ端末の機能的構成を示す機能ブロック図である。
【図６】図６は、管理サーバのハードウェア構成を示すブロック図である。
【図７】図７は、自動値引設定画面を示す図である。
【図８】図８は、商品マスタを説明する図である。
【図９】図９は、管理サーバの機能的構成を示す機能ブロック図である。
【図１０】図１０は、店員への指示を表示した表示装置の一例を示す図である。
【図１１】図１１は、販促メッセージを表示した表示装置の一例を示す図である。
【図１２】図１２は、管理サーバが行う値引表示処理の手順を説明するフローチャートである。
【図１３】図１３は、第２の実施の形態にかかる表示装置の構成を示す正面図である。
【図１４】図１４は、値引率を表示した場合の表示装置の一例を示す正面図である。
【発明を実施するための形態】
【０００９】
（第１の実施の形態）
図１は、第１の実施の形態にかかる値引表示システム１の構成を示すブロック図である。図１に示すように、値引表示システム１は、本実施の形態にかかる情報処理装置としての管理サーバ２に、商品の値引に関する表示やその他の表示を行う表示装置３と、ＰＯＳ（Point  Of  Sales）端末４とが接続されて構成されている。
【００１０】
管理サーバ２は、値引表示システム１全体を制御するサーバであり、ＰＯＳ端末４から送出された店舗内の販売データや、売上データを管理するものである。また、管理サーバ２は、表示装置３を制御して、表示装置３に商品の値引に関する表示やその他の表示を表示させるものである。
【００１１】
表示装置３は、液晶ディスプレイや電子ペーパー等で構成されるものであり、図２に示すように、店舗に設けられた商品陳列棚６に設けられる。そして、表示装置３は管理サーバ２の制御により、商品陳列棚６に陳列された生鮮食品等の商品７に対して値引額や値引率などの値引情報（以下、特に限定しない場合には値引額と称する）を表示する。尚、商品７には、「自動値引商品」や「１割引からさらに自動値引」などと、商品７が自動値引の対象商品であることを示すラベルが陳列前または陳列後の特定のタイミングで貼付されることが望ましい。
【００１２】
また、本実施の形態の特徴として、管理サーバ２は、商品７の残数や、閉店時刻までの残時間等に応じて値引額を更新し、表示装置３に表示させる。例えば、閉店時刻の４時間前で商品７の残数が８個である場合に、表示装置３は管理サーバ２の制御によって、図２に示すように「全品１割引き」と表示する。そして、１時間経過後に商品７の残数が５個となり、閉店時刻の３時間前である場合には、表示装置３は管理サーバ２の制御によって、図３に示すように「全品２割引き」と表示する。このように値引表示を更新することにより、値引額を変更する際に、商品７の全てに逐一、値引ラベルを貼り付けなくとも済み、店員の作業負担を削減することができる。
【００１３】
次に、ＰＯＳ端末４について説明する。図４は、ＰＯＳ端末４のハードウェア構成を示すブロック図である。図４に示すように、ＰＯＳ端末４は、ＣＰＵ（Central  Processing  Unit）３０と、ＲＯＭ（Read  Only  Memory）３５と、ＲＡＭ（Random  Access  Memory）３６と、通信Ｉ／Ｆ３７と、キーボード３８と、店員用ディスプレイ３９と、客用ディスプレイ４０と、プリンタ４１と、スキャナ４２とを主に備えており、これらがバス４３によって接続されている。ＰＯＳ端末４は、通信Ｉ／Ｆ３７を介してＬＡＮ４４（図１参照）で接続された管理サーバ２と相互に通信を行うことが可能となっている。
【００１４】
ＲＯＭ３５は、ＣＰＵ３０が実行する各種プログラムや各種データを記憶している。ＲＡＭ３６は、ＣＰＵ３０が各種プログラムを実行する際に一時的にデータやプログラムを記憶する。
【００１５】
ＣＰＵ３０は、ＲＯＭ３５に格納されたプログラムをＲＡＭ３６に展開して実行することにより、ＰＯＳ端末４のシステム全体を制御する制御部３１（図５参照）を実現する。
【００１６】
図５は、ＰＯＳ端末４の機能的構成を示す機能ブロック図である。図５に示すように、制御部３１は、入力受付部３２と、販売登録部３３と、送信部３４とを備えている。
【００１７】
入力受付部３２は、商品に貼付されたバーコードをスキャナ４２によってスキャンすることにより、バーコードが含む商品コードの入力を受付ける。
【００１８】
販売登録部３３は、入力受付部３２が受付けた商品コードに対する商品名や商品価格等の商品情報を、管理サーバ２が格納する商品マスタＭ（図６参照）から読み込んで、読み込んだ商品情報を用いて商品の販売登録を行う。
【００１９】
送信部３４は、ＰＯＳ端末４において現計キーなどが押下されて一取引が終了した場合に、販売登録部３３が販売登録した商品の商品名や販売個数などの販売データを、管理サーバ２に送信する。
【００２０】
次に、管理サーバ２について説明する。図６は、管理サーバ２のハードウェア構成を示すブロック図である。図６に示すように、管理サーバ２は、ＣＰＵ２０などの制御装置と、ＲＯＭ１２やＲＡＭ１３等の記憶装置と、プログラムや各種ファイルを記憶するＨＤＤ（Hard  Disk  Drive）１８やＣＤドライブ装置などの外部記憶装置と、液晶ディスプレイなどの表示器１７と、キーボード１５やマウス１６などの入力装置とがバス１９で接続されており、通常のコンピュータを利用したハードウェア構成となっている。また、管理サーバ２は、通信Ｉ／Ｆ１４を介してＬＡＮ４４（図１参照）で接続されたＰＯＳ端末２と相互に通信を行うことが可能となっている。
【００２１】
ＨＤＤ１８には、自動値引販売に関する諸条件を格納する自動値引条件設定ファイルＦが格納されている。
【００２２】
また、ＨＤＤ１８には、商品名、商品価格、商品の残数、値引情報などの商品情報を、各商品コードに対応付けて記憶している商品マスタＭが格納されている。図８は、商品マスタＭを説明する図である。図８に示すように、商品マスタＭは、各商品コードに対応付けて、各商品の商品名や商品価格（通常価格）、値引率、販売数、商品残数等の商品情報を格納している。
【００２３】
さらに、ＨＤＤ１８には、商品の値引販売に関する過去の実績データとして、販売実績データＤ（図６参照）が格納されている。販売実績データＤは、商品に対して過去に適用した値引額と、当該値引額を適用した場合における当該商品の販売実績との相関関係を記録した統計データである。
【００２４】
すなわち、販売実績データＤには、閉店時刻に対して所定の残時間となった時刻における、実際の商品残数や、天候や、祝祭日などその日のイベント情報や、販促チラシの配布の有無や、特売日などその他の諸条件等が記録されている。また、販売実績データＤには、これら諸条件に対して過去に適用された値引額（値引率）と、当該値引額を適用した場合における、販売終了時刻での商品残数、または販売終了時刻における当該商品の売上利益が、見切り販売の実績データとして格納されている。
【００２５】
ＲＯＭ１２は、ＣＰＵ２０が実行する各種プログラムや各種データを記憶している。ＲＡＭ１３は、ＣＰＵ２０が各種プログラムを実行する際に一時的にデータやプログラムを記憶するワークエリアとして機能する。
【００２６】
ＣＰＵ２０は、ＲＯＭ１２やＨＤＤ１８からプログラムを読み出して、ＲＡＭ１３に展開して実行することにより、管理サーバ２を制御する制御部２１（図９参照）として機能する。
【００２７】
図９は、管理サーバ２の機能的構成を示す機能ブロック図である。図９に示すように、制御部２１は、値引条件受付部２２と、販売データ受信部２３と、残数管理部２４と、値引額算出部２５と、表示制御部２６とを主に備えている。
【００２８】
値引条件受付部２２は、表示器１７に、閉店時刻やその日の天候など、自動値引の諸条件の入力を受付ける自動値引設定画面Ｗ（図７参照）を表示させる。店員は、自動値引の開始時刻前または開店前に、自動値引設定画面Ｗから自動値引の条件を設定する。
【００２９】
図７は、自動値引設定画面Ｗを示す図である。図７に示すように、自動値引設定画面Ｗには、値引パターンを選択または入力する欄ａや、商品コードまたは商品名を入力する欄ｂおよびｃや、自動値引の終了時刻としての閉店時刻を入力する欄ｄや、閉店時刻における品切れの有無を選択するチェックボックスｅが設けられている。また、自動値引設定画面Ｗには、閉店時刻における売れ残り数を入力する欄ｆや、最大割引率を入力する欄ｇ、自動値引開始条件を設定する欄ｈ、販促チラシの配布の有無を選択するチェックボックスｉ、その日の天候あるいはイベントなどを入力する欄ｊがそれぞれ設けられている。
【００３０】
また、自動値引設定画面Ｗには、この画面を閉じるキャンセルボタンｋと、画面に入力された諸条件を自動値引の条件として設定するための設定ボタンｍが設けられている。
【００３１】
値引条件受付部２２は、自動値引設定画面Ｗ（図７参照）において設定ボタンｍがクリックされた場合に、自動値引設定画面Ｗにおいて入力された自動値引販売に関する諸条件を受付けて、ＨＤＤ１８の自動値引条件設定ファイルＦ（図６参照）に格納する。
【００３２】
尚、ここでは、自動値引の終了時刻として閉店時刻を設定しているが、自動値引の終了時刻としてはその商品の販売終了時刻を入力すればよく、商品や売り場ごとに販売終了時刻をそれぞれ設定してもよい。
【００３３】
図７では、自動値引開始条件として、１７時になった場合、または、「商品残数から閉店時刻での商品の予測販売数を減じた値」が３０以上となった場合、すなわち、閉店時刻における予測販売数に対して、現時点での商品残数が増加した場合として設定されている。このように、閉店時刻までの残時間だけでなく、商品の残数を参照して自動値引を開始することで、売れ行き状況を適切に反映して自動値引を開始することができる。
【００３４】
尚、天候の情報については、天候が変化した場合に店員が自動値引設定画面Ｗから天候の情報を変更してもよいし、自動的に変更できるようにしてもよい。これにより、天候の変化も考慮して値引額を算出することができる。
【００３５】
販売データ受信部２３は、ＰＯＳ端末４において販売登録された商品の商品名や販売個数などの販売データを、通信Ｉ／Ｆ１４を介してＰＯＳ端末４から受信する。
【００３６】
残数管理部２４は、商品マスタＭ（図８参照）に格納された商品の残数から、販売データ受信部２３が受信した商品の販売個数を減じて、現時点における商品の残数を算出し、算出した残数を商品マスタＭに格納して商品の残数を管理する。
【００３７】
値引額算出部２５は、複数の値引段階によって値引額または値引率を更新して、商品の見切り販売における値引額を自動的に設定するものである。
【００３８】
即ち、値引額算出部２５は、閉店時刻までの残時間が所定の時間（例えば、残り３時間、残り２時間、残り１時間）となった場合に、自動値引条件設定ファイルＦに設定されている自動値引の条件と、商品マスタＭが格納する現時点における商品７の商品情報（残数や値引額等）と、販売実績データＤとを用いて、これらのデータに重回帰分析、相関分析などの統計手法を適用し、閉店時刻における商品７の予測売上数を算出する。
【００３９】
そして、値引額算出部２５は、算出した予測売上数に対して、販売実績データＤから、閉店時刻における商品の残数が統計的に最小となる場合の値引額のデータ、または、閉店時刻における商品の売上利益が統計的に最大となる場合の値引額のデータを抽出する。値引額算出部２５は、抽出した値引額のデータと、閉店時刻までの残時間とに基づいて、商品７の値引額（最適値引額）を算出する。
【００４０】
また、値引額算出部２５は、自動値引条件設定ファイルＦに設定されている自動値引の条件に基づいて、最適値引額を算出する。例えば、上述のように予測売上数を用いて算出された値引額が自動値引設定画面Ｗで設定した最大値引率より大きい場合には、最大値引率を最適値引率として設定する。
【００４１】
さらに、値引額算出部２５は、上述のように算出した最適値引額を適用した場合における、閉店時刻までの商品の予測売上数を算出する。
【００４２】
また、値引額算出部２５は、閉店時刻後に、当日売れ残った商品７（図８参照）に対して、翌日販売する際の値引額を算出する。一例として、値引額算出部２５は、自動値引設定画面Ｗで入力された最大値引率（図７では、３割引）を翌日販売時の値引率として適用する。
【００４３】
表示制御部２６は、値引額算出部２５が算出した最適値引額を、図２および図３に示すように表示装置３に表示して、客に現時点の値引額を報知する報知手段として機能する。
【００４４】
また、表示制御部２６は、閉店時刻後に、当日売れ残った商品７に対して、値引額算出部２５が算出した翌日の値引額の値引ラベルＬを貼り付ける旨の指示を、図１０に示すように表示装置３に表示する。これにより、店員は、閉店後に売れ残った商品７に対して最適値引率の値引ラベルＬを貼り付けることができるため、閉店後の作業効率を向上させることができる。
【００４５】
また、自動値引条件設定ファイルＦに設定された最大値引率を売れ残った商品７に対して適用するので、翌日の販売時には、当日加工された商品８（図１１参照）と、前日加工された売れ残り商品７とを商品陳列棚６に陳列した場合にも、より安価な前日加工品（商品７）が購買されやすくなる。従って、前日加工品（商品７）を速やかに販売して賞味期限切れによる商品の廃棄数を減らすことが可能となる。
【００４６】
また、表示制御部２６は、図１１に示すように、開店直後など、自動値引を行わない場合には、販促メッセージなど値引表示以外の表示情報を表示装置３に表示させる。これにより、表示装置３を全営業時間に亘って多目的に活用することができる。
【００４７】
値引額登録部２７は、値引額算出部２５が算出した値引額を、商品マスタＭ（図８参照）に登録する。これにより、ＰＯＳ端末４は、値引額を反映させて商品の販売登録を行うことが可能となり、商品を自動値引する場合に、レジ係の店員が新たな操作を行わずとも自動的に値引販売をすることができる。
【００４８】
次に、管理サーバ２が行う値引表示処理の手順について、図１２を用いて説明する。図１２は、管理サーバ２が行う値引表示処理の手順を説明するフローチャートである。
【００４９】
まず、販売データ受信部２３は、ＰＯＳ端末４から、販売登録された商品の商品名や販売個数などの販売データを受信したか判定する（ステップＳ１）。受信していない場合（ステップＳ１：Ｎｏ）にはステップＳ３に移行する。販売データを受信した場合（ステップＳ１：Ｙｅｓ）には、残数管理部２４は、受信した販売データによって、商品の残数を算出し、算出した残数を商品マスタＭに格納する（ステップＳ２）。
【００５０】
そして、値引額算出部２５は、閉店時刻に対して所定の残時間となったか否か判定し（ステップＳ３）、所定の残時間となっていない場合（ステップＳ３：Ｎｏ）には、ステップＳ１に戻る。一方、所定の残時間となった場合（ステップＳ３：Ｙｅｓ）には、値引額算出部２５は、自動値引条件設定ファイルＦに設定された自動値引の条件や、商品マスタＭ、販売実績データＤ等を用いて、最適値引率を算出する（ステップＳ４）。表示制御部２６は、ステップＳ４で算出された最適値引率を表示装置３に表示する（ステップＳ５）。また、値引額登録部２７は、ステップＳ４で算出された最適値引率を、商品マスタＭに登録する（ステップＳ６）。
【００５１】
値引額算出部２５は、閉店時刻となったか否か判定する（ステップＳ７）。閉店時刻となっていない場合（ステップＳ７：Ｎｏ）には、ステップＳ１に戻って、閉店時刻となるまでステップＳ１〜Ｓ７の処理を続行し、残時間や商品の残数に応じて値引率を段階的に更新して、表示装置３に表示させる処理を続ける。
【００５２】
ここで、管理サーバ２により、第１値引段階から第５値引段階まで段階的に値引率が更新される場合に、値引額算出部２５が算出した予測売上数と最適値引率の一例を示す。自動値引の条件としては、図７の自動値引設定画面Ｗで設定されている諸条件を用いて、閉店時刻２１：００に対し、自動値引を１７：００から１時間おきに更新するものとする。
【００５３】
第１値引段階
開始時刻    17：00
残時間      4時間
商品残数    124個
閉店時間までの予測売上数    100±10個
第１値引段階での予測売上数  40±10個
最適値引率          1割引
最適値引率を適用した場合の閉店時刻までの予測売上数  120±10個
【００５４】
第２値引段階
開始時刻    18：00
残時間      3時間
商品残数    107個
閉店時間までの予測売上数    80±10個
第２値引段階での予測売上数  50±10個
最適値引率          2割引
最適値引率を適用した場合の閉店時刻までの予測売上数  100±10個
【００５５】
第３値引段階
開始時刻    19：00
残時間      2時間
商品残数    43個
閉店時間までの予測売上数    40±5個
第３値引段階での予測売上数  20±5個
最適値引率          2割引
最適値引率を適用した場合の閉店時刻までの予測売上数  40±5個
【００５６】
第４値引段階
開始時刻    20：00
残時間      1時間
商品残数    29個
閉店時間までの予測売上数    20±5個
第４値引段階での予測売上数  20±5個
最適値引率          2.5割引
最適値引率を適用した場合の閉店時刻までの予測売上数  25±5個
【００５７】
第５値引段階
開始時刻    20：30
残時間      30分間
商品残数    20個
閉店時間までの予測売上数    20±2.5個
第５段階での予測売上数      20±2.5個
最適値引率          3割引
最適値引率を適用した場合の閉店時刻までの予測売上数  20±2.5個
【００５８】
これにより、閉店時刻21：00において、例えば商品７の残数を２個とすることが可能となる。従って、自動値引設定画面Ｗで設定した「閉店時刻における売れ残り数  ４個以下」の旨の条件を達成することができる。
【００５９】
ステップ７において閉店時刻となった場合（ステップＳ７：Ｙｅｓ）に、値引額算出部２５は、当日売れ残った商品７（図１０参照）に対して翌日販売する際の値引率を算出する。そして、表示制御部２６は、算出された値引率の値引ラベルＬを商品７に貼り付ける旨の作業指示を、表示装置３に表示し（ステップＳ８）、処理を終了する。
【００６０】
上述のように、本実施の形態にかかる管理サーバ２によれば、閉店時刻に対する残時間や商品の残数などを過去の値引販売の販売実績データＤに照合させて、統計的に最適な値引額を算出する。従って、店員の勘に頼って値引額を決定せずとも、売上利益が最大となる値引額、または商品７の残数が最小となる値引額を簡単に決定することができるという効果を奏する。
【００６１】
また、最適値引額は算出後すぐに表示装置３に表示されるので、店員による値引ラベルの貼付作業を省くことが可能となり、見切り販売にかかる店員の作業負担を軽減して、商品の値引販売を簡単に行うことができる。
【００６２】
尚、上述では、表示制御部２６が表示装置３に商品の値引額を表示させて客に値引額の報知をするとしたが、値引額の報知方法はこれに限定されるものではない。その他の例として、商品陳列棚６の近傍にスピーカを設け、値引額を音声によって客に報知するとしてもよい。
【００６３】
また、上述では、値引開始時刻および各値引段階の開始時刻として、例えば閉店時刻の４時間前（３６０分前）などとしたが、値引開始時刻としては、ランダムに決定されることが望ましい。従って、乱数を用いて、値引開始時刻を、閉店時刻の３５５分前や、３６４分前とするとよい。
【００６４】
尚、上述では、表示装置３に表示される値引情報として、値引率を表示する例を示したが、値引情報の例はこれに限定されるものではない。管理サーバ２は、例えば「１００円引き」「５０円引き」などと値引額を段階的に更新して表示装置３に表示するとしてもよい。
【００６５】
（第２の実施の形態）
第１の実施の形態においては、表示装置３として液晶ディスプレイを用いたが、第２の実施の形態の表示装置２０３は、ＬＥＤを備えた紙製ボードのパネル９により構成されることを特徴とする。
【００６６】
図１３は、第２の実施の形態にかかる表示装置２０３の構成を示す正面図である。図１３に示すように、表示装置２０３の本体は、紙製ボードやプラスチック製のパネル９により構成されている。パネル９には、値引額が更新された場合にも変更されない表示内容として、例えば図１３に示すように「オーストラリア産牛肉全品  割引き」と印刷されている。パネル９の裏面には、英数字を点灯表示するための７セグメントのＬＥＤ１１が設けられている。そして、パネル９のＬＥＤ１１に対応する部分には、ＬＥＤ１１の表示光を透過できるプラスチック板１０が嵌合されている。尚、プラスチック板１０は用いずに、孔部のみを設けて、ＬＥＤ１１の表示光が見えるようにしてもよい。
【００６７】
そして、管理サーバ２の表示制御部２６が表示装置２０３に値引率を表示する場合には、図１４に示すように、ＬＥＤ１１を点灯または点滅させて値引率を示す数字を表示させる。
【００６８】
このように、表示装置２０３の本体を紙製等のパネル９によって構成し、値引表示に最低限必要な数字部分だけをＬＥＤ１１としたことにより、表示装置２０３を安価に構成することができ、値引表示システム１の導入時にかかる初期費用を低く抑えることができる。
【００６９】
尚、本実施形態の管理サーバ２およびＰＯＳ端末４で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されてもよい。
【００７０】
また、本実施形態の管理サーバ２およびＰＯＳ端末４で実行されるプログラムを、インターネット等のネットワークに接続されたコンピュータ上に格納し、ネットワーク経由でダウンロードさせることにより提供するように構成しても良い。また、本実施形態の管理サーバ２およびＰＯＳ端末４で実行されるプログラムをインターネット等のネットワーク経由で提供または配布するように構成しても良い。また、本実施形態のプログラムを、ＲＯＭ等に予め組み込んで提供するように構成してもよい。
【符号の説明】
【００７１】
１  値引表示システム
２  管理サーバ
３、２０３  表示装置
４  ＰＯＳ端末
６  商品陳列棚
７、８  商品
９  パネル
１０  プラスチック板
１１  ＬＥＤ
Ｌ  値引ラベル
４４  ＬＡＮ
【先行技術文献】
【特許文献】
【００７２】
【特許文献１】特開２００９−１６３６１４公報
【図１】
2011227839.tif 000003
【図２】
2011227839.tif 000004
【図３】
2011227839.tif 000005
【図４】
2011227839.tif 000006
【図５】
2011227839.tif 000007
【図６】
2011227839.tif 000008
【図７】
2011227839.tif 000009
【図８】
2011227839.tif 000010
【図９】
2011227839.tif 000011
【図１０】
2011227839.tif 000012
【図１１】
2011227839.tif 000013
【図１２】
2011227839.tif 000014
【図１３】
2011227839.tif 000015
【図１４】
2011227839.tif 000016